(57)【要約】【課題】  本発明は、貯蔵庫に適用される表示装置として、薄型化を可能とし、しかも貯蔵庫内などにおける低温による温度条件下においても良好に動作可能で見やすい貯蔵庫用表示装置を提供することを目的とする。【解決手段】  本発明による貯蔵庫用表示装置においては、冷蔵用・冷凍用等の貯蔵庫１と、この貯蔵庫１の内部側あるいは貯蔵庫１の外面側に配設した有機ＥＬ表示素子による表示器８（８Ａ，８Ｂ，８Ｃ）と、からなることにより、周囲環境が低温条件であると寿命（発光輝度）の劣化が抑制される特性を備えている有機ＥＬ表示素子の特徴を生かしつつ、薄型化が可能な有機ＥＬ表示素子による表示器８を、プライスカードやサインボードなどとして適用することによって、貯蔵庫１の奥まった位置に表示器８を配置したとしても明るく均一的に発光表示することができ、見やすい表示器８を提供することができる。【選択図】図２
2005300028.tif 000002
【特許請求の範囲】
【請求項１】
少なくとも前面側から透視可能で、かつ開閉可能な扉を配した冷蔵用・冷凍用等の貯蔵庫と、この貯蔵庫の内部側あるいは前記扉の内面側または扉の外面側に配設した有機ＥＬ表示素子による表示器と、からなることを特徴とする貯蔵庫用表示装置。
【請求項２】
前面開口側に低温のエアーカーテンを形成して庫内が冷却される冷蔵用・冷凍用等の貯蔵庫と、この貯蔵庫の内部側あるいは貯蔵庫の外面側に配設した有機ＥＬ表示素子による表示器と、からなることを特徴とする貯蔵庫用表示装置。
【請求項３】
前記表示器は、駆動制御手段からの信号に基づき発光表示するように構成してなることを特徴とする請求項１または請求項２に記載の貯蔵庫用表示装置。
【請求項４】
前記表示器は、所定時間の間のみ発光表示するように構成してなることを特徴とする請求項１から請求項３に記載の貯蔵庫用表示装置。
【請求項５】
前記貯蔵庫と対向する領域にて、人の存在を確認するための検出手段が設けられ、この検出手段からの検出信号に基づいて前記表示器を発光表示するように構成してなることを特徴とする請求項１から請求項４のいずれか１項に記載の貯蔵庫用表示装置。
【請求項６】
前記表示器の作動表示内容を入力操作手段によって書き換え可能に構成してなることを特徴とする請求項１から請求項５のいずれか１項に記載の貯蔵庫用表示装置。
【請求項７】
前記扉の開放時において、前記表示器を発光表示するように構成してなることを特徴とする請求項１に記載の貯蔵庫用表示装置。
【発明の詳細な説明】
【技術分野】
【０００１】
本発明は、たとえば冷蔵庫、冷凍庫、低温ショーケースなどの貯蔵庫に適用され、その貯蔵庫内の商品の内容を表示したり、商品の価格を表示したりあるいは貯蔵庫内の温度表示や商品のキャンペーンのためのサインボードとして用いられる貯蔵庫における表示装置に関するものである。
【背景技術】
【０００２】
従来、たとえば業務用として店舗内に設置されている冷凍用あるいは冷蔵用のショーケースである貯蔵庫においては、その前面側にガラス扉を設けたタイプのものや、その前面側に低温のエアーカーテンを形成して庫内が冷却されるように設けたタイプのものが知られている。（たとえば、特許文献１，特許文献２を参照。）
【特許文献１】特開平８−５２３６号公報
【特許文献２】実開平５−５２６８７号公報
【発明の開示】
【発明が解決しようとする課題】
【０００３】
特許文献１および特許文献２によるショーケースである貯蔵庫においては、その庫内に陳列展示する商品に合わせて、陳列棚などの前面側に商品の名称や価格などを明示する表示板（プライスカード）が並べられている。また貯蔵庫の庫内の温度を確認するために温度計が設置されていたり、あるいは貯蔵庫の前面側には商品のキャンペーンや店のコマーシャルなどのためのサインボードとなる張り紙などが貼り付けられたりしている。このため、従来は取り付け金具やネジ、ナットなどの部品を用いてプライスカードを取り付けているため取り替え作業に手間を要すものであり、同様に張り紙などの張り替え作業においても手間がかかるという問題がある。また陳列棚の設置位置によっては、照明灯の明かりが陳列棚や商品などによって遮られることがあり、プライスカードなどが明るく照らされなくなって見づらいことがある。
【０００４】
そこで、このような問題を解消するために、貯蔵庫内の商品の内容を表示したり、商品の価格を表示したりあるいは商品のキャンペーンや店のコマーシャルなどのためのサインボードとして用いられる貯蔵庫における表示装置として、ＬＥＤ表示器（発光ダイオードによる表示器）やバックライト照明による液晶表示器などによって表示を行うことが考えられる。
【０００５】
しかしながら、ＬＥＤ表示器にあっては、たとえばドット表示によって文字や数字を表すようにする場合、縦横に配置する発光ダイオードチップの数を多く必要とするためコストも高くなりやすく、しかも実装される表示器の厚みも従来のプライスカードなどの厚みに比べて厚くなりやすく、設置場所にセットする際に嵩張ってしまいやすいというデメリットがある。またバックライト照明による液晶表示器にあっては、消費電力は少ないというメリットがあるものの、冷蔵庫・冷凍庫あるいは低温用ショーケースなどの貯蔵庫に適用するために、その低い温度の条件下において液晶表示器を作動すると液晶による表示の応答性が悪くなったりすることがあり、場合によっては作動しなくなることもある。このため、断熱部材によって遮熱したり、ヒータによって液晶表示素子を加熱したりして温度補償を行う必要があり、結果としてコストが高くなることが予測される。またＬＥＤ表示器や液晶表示器においては指向性があるため視野角度も限定されてしまうと言う問題もある。
【０００６】
そこで本発明は、従来の問題点に着目し、貯蔵庫に適用される表示装置として、薄型化を可能とし、しかも貯蔵庫内などにおける低温による温度条件下においても良好に動作可能で見やすい貯蔵庫用表示装置を提供することを目的とするものである。
【課題を解決するための手段】
【０００７】
この本発明は、前述した課題を解決するため、請求項１では、少なくとも前面側から透視可能で、かつ開閉可能な扉を配した冷蔵用・冷凍用等の貯蔵庫と、この貯蔵庫の内部側あるいは前記扉の内面側または扉の外面側に配設した有機ＥＬ表示素子による表示器と、からなることを特徴とする貯蔵庫用表示装置である。
【０００８】
また本発明の請求項２では、前面開口側に低温のエアーカーテンを形成して庫内が冷却される冷蔵用・冷凍用等の貯蔵庫と、この貯蔵庫の内部側あるいは貯蔵庫の外面側に配設した有機ＥＬ表示素子による表示器と、からなることを特徴とする貯蔵庫用表示装置である。
【０００９】
また、請求項１または請求項２に記載の貯蔵庫用表示装置において、前記表示器は、駆動制御手段からの信号に基づいて発光表示するように構成してなることを特徴とするものである。（請求項３）
【００１０】
また、請求項１から請求項３に記載の貯蔵庫用表示装置において、前記表示器は、所定時間の間のみ発光表示するように構成してなることを特徴とするものである。（請求項４）
【００１１】
また、請求項１から請求項４のいずれか１項に記載の貯蔵庫用表示装置において、前記貯蔵庫と対向する領域にて、人の存在を確認するための検出手段が設けられ、この検出手段からの検出信号に基づいて前記表示器を発光表示するように構成してなることを特徴とするものである。（請求項５）
【００１２】
また、請求項１から請求項５のいずれか１項に記載の貯蔵庫用表示装置において、前記表示器の作動表示内容を入力操作手段によって書き換え可能に構成してなることを特徴とするものである。（請求項６）
【００１３】
また、請求項１に記載の貯蔵庫用表示装置において、前記扉の開放時において、前記表示器を発光表示するように構成してなることを特徴とするものである。（請求項７）
【発明の効果】
【００１４】
本発明による貯蔵庫用表示装置においては、冷蔵用・冷凍用等の貯蔵庫と、この貯蔵庫の内部側あるいは貯蔵庫の外面側に配設した有機ＥＬ表示素子による表示器と、からなることにより、周囲環境が低温であると寿命（発光輝度）の劣化が抑制される特性を備えている有機ＥＬ表示素子の特徴を生かしつつ、薄型化が可能な有機ＥＬ表示素子による表示器を、プライスカードやサインボードなどとして適用することによって、貯蔵庫の奥まった位置に表示器を配置したとしても明るく均一的に発光表示することができ、しかも指向性が無いため広角にして見やすい表示器を提供することができるものであり、また有機ＥＬ表示素子からなる表示器であるため、発熱が無く、これにより冷却した雰囲気中の温度上昇を未然に抑えることもできるという効果が期待できるものであり、初期の目的を達成することができる。
【発明を実施するための最良の形態】
【００１５】
本発明の請求項１では、少なくとも前面側から透視可能で、かつ開閉可能な扉を配した冷蔵用・冷凍用等の貯蔵庫と、この貯蔵庫の内部側あるいは前記扉の内面側または扉の外面側に配設した有機ＥＬ表示素子による表示器と、からなることを特徴とする貯蔵庫用表示装置である。このように構成することによって、貯蔵庫の内部側や扉の内面側あるいはその外面側に有機ＥＬ表示素子による表示器を配設した場合であったとしても、発熱が殆ど無い表示器であるために貯蔵庫の内部の温度上昇の心配も無くなるとともに、貯蔵庫の冷却効果を維持することができる。また表示器として有機ＥＬ表示素子によって形成することにより、薄型化が可能となるとともに、指向性もないため視野角も広がり、均一的に発光することとなるため見やすい貯蔵庫用表示装置を提供することができる。
【００１６】
また本発明の請求項２では、前面開口側に低温のエアーカーテンを形成して庫内が冷却される冷蔵用・冷凍用等の貯蔵庫と、この貯蔵庫の内部側あるいは貯蔵庫の外面側に配設した有機ＥＬ表示素子による表示器と、からなることを特徴とする貯蔵庫用表示装置である。このように構成することによって、貯蔵庫の内部側や貯蔵庫の外面側に有機ＥＬ表示素子による表示器を配設した場合であっても、発熱が殆ど無い表示器であるために貯蔵庫の内部の温度上昇の心配も無くなるとともに、貯蔵庫の冷却効果に影響することなく維持することができる。また表示器として有機ＥＬ表示素子によって形成することにより、薄型化が可能となるとともに、均一的に発光表示することができ、しかも指向性もないため視野角も広がることとなるため見やすい貯蔵庫用表示装置を提供することができる。
【００１７】
また請求項３では、請求項１または請求項２に記載の貯蔵庫用表示装置において、前記表示器は、駆動制御手段からの信号に基づき発光表示するように構成してなることによって、連続的に駆動制御手段を介して発光表示することができるものであり、また人為的に駆動制御手段を介してＯＮ／オフ作動することにより任意に発光表示・非表示と表示器の切換作動することも可能である。
【００１８】
また請求項４では、請求項１から請求項３に記載の貯蔵庫用表示装置において、前記表示器は、所定時間の間のみ発光表示するように構成してなることにより、省電力化が可能となる。
【００１９】
また請求項５では、請求項１から請求項４のいずれか１項に記載の貯蔵庫用表示装置において、前記貯蔵庫と対向する領域にて、人の存在を確認するための検出手段が設けられ、この検出手段からの検出信号に基づいて前記表示器を発光表示するように構成してなることにより、たとえば商品の確認のために貯蔵庫に近づいてきた際に有機ＥＬ表示素子からなる表示器を発光表示することによりアピールすることができるとともに、明るく均一的に照らし出すことができる。
【００２０】
また請求項６では、請求項１から請求項５のいずれか１項に記載の貯蔵庫用表示装置において、前記表示器の作動表示内容を入力操作手段によって書き換え可能に構成してなることにより、従来のようにカードやプレートの取り替え作業や張り紙などの張り替え作業を行う必要もなく、簡単に表示内容を変更することができる。
【００２１】
また請求項７では、請求項１に記載の貯蔵庫用表示装置において、前記扉の開放時において、前記表示器を発光表示するように構成してなることにより、必要時にのみ発光表示することができ、省電力化を図る上で有益である。
【実施例１】
【００２２】
以下、本発明に係る貯蔵庫用表示装置の実施例を添付図面を参照にして説明する。
【００２３】
図１から図３は本発明の第１実施例を示すもので、この第１実施例における貯蔵庫１としては、たとえばスーパーマーケットなどの店舗に設置される前面側にガラス扉２を付けた冷蔵用ショーケースからなり、貯蔵庫１の庫内の背後側に冷却器３が設置され、その冷却器３からダクト４を介して冷気を庫内の上側に設けた冷気吐出口４Ａから送風機５を介して送り出した後に、下側の冷気吸入口４Ｂから再び吸い込んで循環させて庫内を冷却するように構成している。また貯蔵庫１の庫内には、上下に複数段の陳列棚となる棚板６が架設され、その棚板６上に商品７が陳列できるように設けられている。
【００２４】
また貯蔵庫１の内部側あるいは外面側には有機ＥＬ素子からなる表示器８が配設されている。この場合、有機ＥＬ表示素子からなる表示器８の実装構造としては、図示はしないが、商品７の名称や価格、賞味期限など文字や数字を表す必要があるためドットマトリクス表示による有機ＥＬ表示素子にて発光表示する構造が適している。このようなドットマトリクス表示による有機ＥＬ素子としては、たとえば透光性の基板状に、陽極となる透明電極と陰極となる非透光性の背面電極とを交差する状態にてストライプ状に配設し、その各電極間に発光層を含む有機層を挟持してマトリクス状の発光部を構成する有機ＥＬ表示素子（有機ＥＬパネル）を本願出願人も先に提案している。（たとえば、特許文献３，特許文献４，特許文献５を参照。）
【特許文献３】特開２００２−３２９５８５号公報
【特許文献４】特開２００３−２５５８９３号公報
【特許文献５】特開２００３−２８８９８４号公報
【００２５】
このような特許文献３から特許文献５などのドットマトリクス表示からなる有機ＥＬ素子による表示器８の設置箇所として、第１実施例では、貯蔵庫１の前面側である貯蔵庫１のガラス扉２の上側に位置した貯蔵庫１外面部分にサインボードとしての機能を持たせた比較的大きな表示パネル状の有機ＥＬ表示素子による表示器８Ａが配設されており、またガラス扉２の内面側には、庫内の棚板６の位置に合わせて商品７の名称や価格などを表示する有機ＥＬ素子による表示器８Ｂが配設されている。なお、この実施例では前記ガラス扉２の内面側に配設された表示器８Ｂに加えて、庫内に配置された棚板６の前壁部に商品７の価格表示を行う有機ＥＬ素子による表示器８Ｃが配設されている。
【００２６】
また各表示器８Ａ，８Ｂ，８Ｃは、図示しない電源側から貯蔵庫１内に引き回し配線されて設置されている駆動制御手段９とそれぞれ電気的に連結されて配線処理されており、駆動制御手段９からの信号に基づいて各表示器８Ａ，８Ｂ，８Ｃが発光表示されるように構成されている。
【００２７】
また駆動制御手段９には、貯蔵庫１の電源をオン／オフするための主電源スイッチ１０Ａやその電源スイッチ１０Ａとは別に表示器８の作動表示内容たとえば商品名や価格表示などの表示内容を書き換え可能とするキーボード操作入力スイッチ１０Ｂが設けられたタッチパネルからなる入力操作手段１０を有している。また入力操作手段１０には、人為的に駆動制御手段９を介してＯＮ／オフ作動することにより任意に発光表示・非表示と表示器８を切換作動する表示切換スイッチ１０Ｃが設けられている。
【００２８】
また第１実施例においては、店舗内において貯蔵庫１と対向する領域にて、顧客（人）の存在を確認するための検出手段である光センサ１１が設置され、この光センサ１１からの検出信号に基づいて駆動制御手段９を介して表示器８が発光表示することができるように構成している。なお、貯蔵庫１を幾つも並べて設置するような場合にあっては、所定の通路や入り口など貯蔵庫１と対面する所の少なくとも一箇所に検出手段（光センサ１１）を設置することによって各貯蔵庫１の表示器８が発光表示するように設定しても良い。
【００２９】
また第１実施例におけるガラス扉２付きの貯蔵庫１にあっては、たとえばガラス扉２の開放時において作動する扉開放スイッチ１２が設けられており、この扉開放スイッチ１２の作動によって駆動制御手段９を介して表示器８が発光表示することができるように設定している。なお、この第１実施例ではガラス扉２を観音開きによって開閉する構成していたが、スライドによる扉の開閉作動においても同様に行うことが可能である。
【００３０】
また駆動制御手段９には、この第１実施例においてはタイマー機構９Ａを内蔵しており、このタイマー機構９Ａを介して表示器８を発光表示するような場合、たとえば前記検出手段である光センサ１１によって人が通りすぎたことを検知した後、所定時間を経過した後に表示器８が発光表示状態から非表示状態へと切り替わるようにしてもよいものであり、また扉開放スイッチ１２とタイマー機構９Ａとの組み合わせにより扉２の解放後において所定時間を経過した後に表示器８が非表示となるように設定してもよいものであり、また光センサ１１と扉開放スイッチ１２およびタイマー機構９Ａとをそれぞれ連動して作動するように設定することも可能である。
【００３１】
従って、第１実施例における有機ＥＬ表示素子による表示器８としては、貯蔵庫１の外面部分に配設したサインボードとしての機能を持たせた大きな表示パネル状の有機ＥＬ表示素子からなる表示器８Ａと、ガラス扉２の内面側に庫内の棚板６の位置に合わせて配設された商品７の名称や価格などを表示する有機ＥＬ素子からなる表示器８Ｂと、庫内に配置された棚板６の前壁部に商品７の価格表示を行う有機ＥＬ素子からなる表示器８Ｃとが配設されている。このため、サインボードとしての機能を果たすために表示する大きな表示パネル状の表示器８Ａは、駆動制御手段９からの信号に基づいて常時発光表示するように設定することにより、遠方からでも発光表示内容をいつでも視認することができる。
【００３２】
また庫内の商品７の名称や価格などを発光表示するために設けられたガラス扉２の内面側に配設された表示器８Ｂは、人の存在を確認して作動する検出手段である光センサ１との組み合わせにより発光表示するように設定されており、少なくとも人が貯蔵庫１と対面した時には貯蔵庫１内の商品７の名称や価格が読み取れるようにガラス扉２に配設した表示器８Ｂが発光表示して貯蔵庫１内に収納されている商品７を良好に判読することができる。
【００３３】
また庫内の棚板６の前壁部に配設された表示器８Ｃは、少なくともガラス扉２を開放した際に扉開放スイッチ１２の作動によって商品７の価格が発光表示されるため即座に判読することが可能となり、見やすい表示器８Ｃを提供することができ、顧客へのアピール度合いをも高めることができる。この際、扉開放スイッチ１２とタイマー機構９Ａとの組み合わせにより扉２の解放後において所定時間を経過した後に表示器８が非表示となるように設定することにより、省電力化が可能となる。
【００３４】
また貯蔵庫１を幾つも並べて設置するような場合において、たとえば貯蔵庫１内の商品７が売れ切れて棚板６上に無くなった際には、入力操作手段１０に設けた表示切換スイッチ１０Ｃのスイッチ切換によって表示器８Ｂと表示器８Ｃとの発光表示状態を非表示（ブランク状態）に切り換えたり、あるいはタッチパネルからなる入力操作手段１０のキーボード操作入力スイッチ１０Ｂを操作して商品７の「売り切れ」の表示文字として表示内容を書き換えて発光表示することにより、商品７の有無を顧客に対してアピールすることも可能となる。
【００３５】
また各表示器８（８Ａ，８Ｂ，８Ｃ）は、冷蔵用・冷凍用として低い温度の条件下における貯蔵庫１に適用されるが、周囲環境が低温条件であると寿命（発光輝度）の劣化が抑制される特性を備えている有機ＥＬ表示素子の特徴を生かしつつ、薄型化が可能な有機ＥＬ表示素子による表示器８を、プライスカードやサインボードなどとして適用することによって、たとえば貯蔵庫１の奥まった位置に表示器８を配置したとしても明るく均一的に発光表示することができ、しかも指向性も無いため視野角度も広角にして見やすい表示器８を提供することができるものであり、また有機ＥＬ表示素子からなる表示器８であるため、発熱が無く、これにより冷却した雰囲気中の貯蔵庫１の内部の温度上昇などを未然に抑えることができ、貯蔵庫１の冷却効果を維持することができる。
【実施例２】
【００３６】
また図４から図６は本発明の第２実施例を示すもので、貯蔵庫用表示装置の実施例を添付図面を参照にして説明する。
【００３７】
同図において、第２実施例における貯蔵庫１Ａとしては、その貯蔵庫１Ａの前面が開口されて形成されており、その前面開口側には低温のエアーカーテンを形成して庫内が冷却される冷蔵用オープンショーケースを例にして説明する。この冷蔵用オープンショーケースからなる貯蔵庫１Ａの庫内の下端側には冷却器３が設置され、その冷却器から庫内の背後側に設けたダクト４を介して冷気を庫内の上側に設けた冷気吐出口４Ａから送風機５を介して送り出し、庫内の下側に設けた冷気吸入口４Ｂから吸い込んで冷気を循環させて庫内を冷却するように構成している。この場合、冷蔵用ショーケースからなる前面側は冷気によって循環して送り出しことにより低温のエアーカーテンとしての機能が果たされているため、庫内の内部側は冷やされた状態にて維持されるように構成されている。
【００３８】
また貯蔵庫１Ａの庫内には、上下に複数段の陳列棚となる棚板６が架設され、その棚板６上に商品７が陳列できるように設けられている。また第２実施例における冷蔵用オープンショーケースからなる貯蔵庫１Ａでは、その貯蔵庫１Ａの側壁板が透明なガラス板２Ａにて形成されている。
【００３９】
また第２実施例では、貯蔵庫１Ａの内部側あるいは外面側には前述した第１実施例とほぼ同様な有機ＥＬ素子による表示器８が配設されるものであり、この実施例においては、前面側が開放されている貯蔵庫１Ａの前面側の上端外面部に、サインボードとしての機能を持たせた大きな表示パネル状のドットマトリクスからなる有機ＥＬ表示素子による表示器８Ａが配設されており、また前面が開口された貯蔵庫１Ａの庫内に設置されたそれぞれの棚板６の前壁部には商品７の名称表示や価格表示、賞味期限表示などを行う有機ＥＬ素子による表示器８Ｃが配設されている。加えて、冷蔵用オープンショーケースからなる貯蔵庫１Ａの側壁板として用いられているガラス板２Ａには、その内面部分に庫内の温度表示を行うための表示器８Ｄが配設されて常時発光表示するように設定されている。
【００４０】
また各表示器８Ａ，８Ｃ，８Ｄは、図示しない電源側から貯蔵庫１Ａ内に引き回し配線されて設置されている駆動制御手段９と電気的に連結されて配線処理されており、駆動制御手段９からの信号に基づいて各表示器８Ａ，８Ｃ，８Ｄが発光表示されるように構成されている。
【００４１】
また駆動制御手段９には、前述した第１実施例とほぼ同様にして貯蔵庫１Ａの電源をオン／オフするための主電源スイッチ１０Ａやその電源スイッチ１０Ａとは別に表示器８の作動表示内容たとえば商品名や価格表示などの表示内容を書き換え可能とするキーボード操作入力スイッチ１０Ｂが設けられたタッチパネルからなる入力操作手段１０を有している。また入力操作手段１０には、人為的に駆動制御手段９を介してＯＮ／オフ作動することにより任意に発光表示・非表示と表示器８を切換作動する表示切換スイッチ１０Ｃが設けられている。
【００４２】
また第２実施例においては、たとえば店舗内において貯蔵庫１と対面する領域となる通路箇所には、顧客（人）の存在を確認するための感圧センサなどからなる検出手段であるマット状のフットスイッチ１１Ａが敷設され、このフットスイッチ１１Ａからの検出信号に基づいて駆動制御手段９を介して表示器８を発光表示することができるように構成されている。なお、冷蔵用オープンショーケースからなる貯蔵庫１Ａを複数個連続して並べて設置するような場合にあっては、所定の通路や入り口など貯蔵庫１Ａと対面する所要箇所に検出手段（フットスイッチ１１Ａ）を設置することによって各貯蔵庫１Ａの表示器８が発光表示するように設定しても良い。
【００４３】
従って、第２実施例における有機ＥＬ表示素子による表示器８としては、貯蔵庫１Ａの外面部分に配設したサインボードとしての機能を持たせた大きな表示パネル状の有機ＥＬ表示素子からなる表示器８Ａと、庫内の棚板６の前壁部に配設した商品７の価格表示を行う有機ＥＬ素子からなる表示器８Ｃと、冷蔵用オープンショーケースからなる貯蔵庫１Ａの側壁板として用いられているガラス板２Ａの内面部分に庫内の温度表示を行うための表示器８Ｄが配設されているが、この場合、サインボードとしての機能を果たすために表示する大きな表示パネル状の表示器８Ａと、庫内温度を計測する表示器８Ｄとは、駆動制御手段９からの信号に基づいて常時発光表示するように設定され、特にサインボードとしての機能を果たすために表示する大きな表示パネル状の有機ＥＬ表示素子による表示器８Ａは、指向性も無いため視野角度も広角となり遠くからでも発光表示内容をいつでも視認することができる。
【００４４】
また庫内の商品７の名称や価格などを発光表示するために設けられた棚板６の前壁部に配設された表示器８Ｃは、人の存在を確認して作動する検出手段であるマット状のフットスイッチ１１Ａとの組み合わせにより発光表示するように設定されており、少なくとも人が貯蔵庫１と対面した時には貯蔵庫１内の商品７の名称や価格が即座に読み取れるように表示器８Ｃが発光表示して貯蔵庫１内に収納されている商品７を良好に判読することができる。
【００４５】
なお本発明は上記実施例に限定されるものではなく、本発明の要旨の範囲内において種々の変形実施が可能である。たとえば実施例においては、表示パネルからなる有機ＥＬ表示素子による表示器８を冷蔵用・冷凍用等の貯蔵庫の内部側あるいは貯蔵庫の外面側に配設して設置するように構成していたが、たとえば貯蔵庫のガラス扉やガラス壁面を有機ＥＬ表示器の基板として直接利用してそのガラス扉やガラス壁面に各電極やＥＬ発光体及び封止部材を施して表示器を構成するようにしても良いものであり、またフレキシブルな高分子フィルムを基板として、その高分子フィルム上に透明導電性膜からなる電極を形成し、この電極を一方の電極とし、対向するもう一つの電極との間に有機化合物からなるＥＬ発光層を設けることにより得られたフレキシブルな有機ＥＬ素子によって構成することにより、柔軟性を有する表示パネルからなる有機ＥＬ素子による表示器を適用することもできるため、たとえば貯蔵庫の曲面形状に沿って配設することも可能である。
【００４６】
また実施例では有機ＥＬ表示素子による表示器として、ドットマトリクス表示による有機ＥＬ素子を例にして説明したが、数字表示の切り替えや解像度の度合いによっては、セグメント表示による有機ＥＬ素子であっても良いものであり、また表示パネルとなる表示器８の大きさや形状など適宜設定可能である。また駆動制御手段９からの電気的な引き回しとして表示器８との間に端子を備えたコネクタを介して着脱可能に連結することにより表示器８を簡単に交換することもできるものであり、また実施例においては、表示器８の表示内容の書き換えなどを行う入力操作手段１０を貯蔵庫１にセットして設けていたが、通信回線、無線電話などによる遠隔操作によって表示内容を変更したりすることも可能である。
【００４７】
また実施例においては、顧客（人）の存在を確認するための検出手段として、光センサ１１やフットスイッチ１１Ａを用いていたが、他の検出手段たとえばＣＣＴカメラ、体温を検知する温度検知センサなどを適用しても良いものであり、また各検出手段を組み合わせて設けるようにしても良い。
【００４８】
また各実施例においては、業務用の冷却・冷蔵用としてのショーケースを例にして説明したが、家庭用の冷蔵庫などにおいて、内容物の賞味期限表示、食品の購入日、庫内温度の表示、ドアの開放状態の警報表示など家庭用貯蔵庫の表示装置にも適用できるものである。
【産業上の利用可能性】
【００４９】
本発明においては、業務用としての貯蔵庫用表示装置に限らず、家庭用の貯蔵庫用表示装置などにおいても流用することが可能である。
【図面の簡単な説明】
【００５０】
【図１】本発明の第１実施例を示す貯蔵庫用表示装置の全体概要斜視図である。
【図２】図２は、図１における全体概要側面図である。
【図３】図３は、第１実施例の貯蔵庫用表示装置における駆動制御手段の電気的構成を示すブロック図である。
【図４】本発明の第２実施例を示す貯蔵庫用表示装置の全体概要斜視図である。
【図５】図５は、図４における全体概要側面図である。
【図６】図６は、第２実施例の貯蔵庫用表示装置における駆動制御手段の電気的構成を示すブロック図である。
【符号の説明】
【００５１】
１，１Ａ  貯蔵庫
２        ガラス扉
２Ａ      ガラス板（側壁板）
３        冷却器
６        棚板
７        商品
８，８Ａ，８Ｂ，８Ｃ，８Ｄ  表示器（有機ＥＬ表示素子）
９        駆動制御手段
９Ａ      タイマー機構
１０        入力操作手段
１０Ａ      電源スイッチ
１０Ｂ      キーボード操作入力スイッチ
１０Ｃ      表示切換スイッチ
１１        光センサ（検出手段）
１１Ａ      フットスイッチ（検出手段）
１２        扉開放スイッチ    
【図１】
2005300028.tif 000003
【図２】
2005300028.tif 000004
【図３】
2005300028.tif 000005
【図４】
2005300028.tif 000006
【図５】
2005300028.tif 000007
【図６】
2005300028.tif 000008